(57)【要約】【課題】  光を遮る遮蔽体の開閉動作状態を適切に設定して、光をそのまま通す最大開放状態における開口率を大きくしつつ、光を一部通す部分的開放状態を遮蔽体の傾動で細かく制御でき、採光に係る調整性能を高めた遮蔽体開閉装置を提供する。【解決手段】  光を遮る遮蔽体３０を、上フレーム１０に対し横方向へ移動可能として複数配設し、移動用軸４１の螺旋状の溝を遮蔽体３０の上端部分と係合させ、移動用軸４１の回動に伴う溝の案内で、遮蔽体３０を横方向へ移動させられることから、移動用軸４１の回動のみで、上フレーム１０下側の領域６０を最大限に開放した遮蔽体３０の集合配置状態と、遮蔽体３０の向きを変えて光の通過を調整可能となる遮蔽体３０の分散配置状態との間で、遮蔽体３０を速やかに移動させつつ、この遮蔽体３０の移動機構を簡略化でき、遮蔽体３０の横方向移動に係る機構部分全体の小型化、低コスト化が図れる。【選択図】  図５
2012241388.tif 000002
【特許請求の範囲】
【請求項１】
横方向に延伸配設される上フレームと、
遮光性又は一部透光性を有する矩形の略板状体で形成され、長辺方向端部に軸部を有し、長辺方向を上フレームと直交する向きとされつつ前記軸部を介して前記上フレームに横方向へ移動可能に支持されると共に、前記軸部を中心に所定角度範囲で傾動可能とされる複数の遮蔽体と、
当該遮蔽体を上フレームに対し横方向に移動させ、各遮蔽体を近接させて上フレーム下側の領域における左右の領域端部のいずれか一方又は両方に寄せて配置した集合配置状態、及び、各遮蔽体を上フレーム下側の領域で横方向へ所定間隔を空けてそれぞれ配置した分散配置状態、のいずれかに切替える遮蔽体移動機構と、
遮蔽体の前記分散配置状態で、各遮蔽体を、遮蔽体短辺方向が上フレームと略直交する向きから上フレームと略平行をなす向きまでの角度範囲で傾動させる、遮蔽体傾動機構とを備え、
前記遮蔽体移動機構が、軸方向を上フレームと平行をなす向きとして各遮蔽体の上側に回動自在に支持される移動用軸と、当該移動用軸を回動させる駆動部とを有し、
前記移動用軸が、遮蔽体を横方向に移動させる範囲で、螺旋状に連続する一又は複数の溝を、外周に穿設され、
前記移動用軸の溝における螺旋のピッチが、前記遮蔽体の集合配置状態で領域端部に寄せた複数の遮蔽体の存在する範囲に相当する、移動用軸の軸端部所定寸法部分では、集合配置状態での遮蔽体同士の配置間隔を所定の自然数で割った大きさに対応するピッチとされ、且つ、移動用軸の前記軸端部所定寸法部分を除く他部分では、遮蔽体の分散配置状態での前記所定間隔を前記所定の自然数で割った大きさに対応するピッチとされてなり、
前記遮蔽体が、軸部の上端部分を前記遮蔽体移動機構の移動用軸における溝と係合させた状態で上フレームに支持され、軸部の上端部分と溝との係合を維持しつつ、移動用軸の回動に伴って上フレームに対し横方向へ移動することを
特徴とする遮蔽体開閉装置。
【請求項２】
前記請求項１に記載の遮蔽体開閉装置において、
前記遮蔽体傾動機構が、前記遮蔽体の軸部で、遮蔽体と一体に取付けられる傾動用歯車と、上フレームと平行に配設され、各遮蔽体における傾動用歯車と噛合する傾動用ラックとを有してなり、
前記傾動用歯車が、前記集合配置状態で寄せられた左又は右の領域端部で、領域中央により近い位置にある遮蔽体に取付けられるものほど、歯車外形を小さく形成され、
前記傾動用ラックが、前記分散配置状態での各遮蔽体位置ごとに歯形部分を分けて配置されると共に、各歯形部分に対応する遮蔽体の、集合配置状態から分散配置状態に至るまでの横方向移動量が大きいほど、対応する歯形部分の遮蔽体軸部側への突出量を大きくして形成されることを
特徴とする遮蔽体開閉装置。
【請求項３】
前記請求項１又は２に記載の遮蔽体開閉装置において、
前記上フレームの下方に上フレームと平行に配設される下フレームを備え、
前記遮蔽体の下端部が、前記下フレームに対し摺動又は転動して横方向に移動可能とされつつ下フレームで支持されることを
特徴とする遮蔽体開閉装置。
【請求項４】
前記請求項３に記載の遮蔽体開閉装置において、
前記遮蔽体の上下端部で、それぞれ遮蔽体の軸部と中心を一致させつつ遮蔽体に対し回動可能に取付けられ、上下で互いに同調して回動可能とされる二つの同調用歯車と、
上フレームに沿って固定配設され、各遮蔽体における上側の同調用歯車と噛合する同調用上ラックと、
下フレームに沿って固定配設され、各遮蔽体における下側の同調用歯車と噛合する同調用下ラックとを備えることを
特徴とする遮蔽体開閉装置。
【請求項５】
前記請求項１ないし４のいずれかに記載の遮蔽体開閉装置において、
前記遮蔽体移動機構の移動用軸が、前記軸端部所定寸法部分を、所定軸径の小径部とされる一方、前記軸端部所定寸法部分を除く他部分を、前記小径部より軸径の大きい大径部とされ、
前記移動用軸の溝が、少なくとも軸中心に対する溝底位置を、前記小径部と大径部で同じ位置として穿設されると共に、軸外周部における溝幅を小径部より大径部で大きくされてなり、
前記遮蔽体の軸部上端部が、移動用軸における小径部と大径部の溝に係合する先端部分に対し、より下側の、大径部の溝のみに係合する部分を、大径部の溝幅に対応させて、より太く形成されることを
特徴とする遮蔽体開閉装置。
【請求項６】
前記請求項１ないし５のいずれかに記載の遮蔽体開閉装置において、
前記遮蔽体が、上下左右の各辺を有して中央を開口部とされる矩形状の枠部と、当該枠部の開口部を塞ぐ透光性の紙シートとからなる障子構造を有し、前記軸部が、枠部における長辺となる左右の辺のいずれか一方の側に位置することを
特徴とする遮蔽体開閉装置。
【発明の詳細な説明】
【技術分野】
【０００１】
本発明は、日光等の光を一部又は全部遮る複数の遮蔽体を開閉して、通過する光量を調整可能とする遮蔽体開閉装置に関する。
【背景技術】
【０００２】
木製で格子状の枠に、和紙等を貼って構成される障子は、外からの光を適度に透過させ拡散させる性質を有していることで、近年では、和室用の建具として用いられるだけでなく、和室以外の部屋の間仕切りや、サッシ窓の内障子等として利用される例が増えている。
【０００３】
従来の障子の場合は、部屋の出入口や窓等の開口部に障子二つが引違いになるよう配設されて用いられるのが一般的である。このような従来の障子構造の一例として、特開平１０−１０２９３４号公報に開示されるものがある。
この他、引違いでなく折畳みにより開閉可能な障子も提案されており、こうした障子構造の例として、実開平６−３５５８１号公報に開示されるものがある。
【先行技術文献】
【特許文献】
【０００４】
【特許文献１】特開平１０−１０２９３４号公報
【特許文献２】実開平６−３５５８１号公報
【発明の概要】
【発明が解決しようとする課題】
【０００５】
従来の障子構造は、前記各特許文献に示される構成とされているが、障子紙を通じた採光は直接光を室内に通す場合に比べ光の量が小さくなることから、光量を確保したい状況では、状況に応じて障子を少しずつ開放して、光の直接通す量を調整しながら、光を取入れることとなる。
【０００６】
しかしながら、前記特許文献１に記載されたような一般的な引違い型の障子の場合、最大開放状態としても二つあるうちの一方の障子が他方の障子に重なる状態に移行するのみであることから、最大開放時の開口率が、出入口や窓等の開口部の５０％以下と低く、確実に採光を行うと共に十分な開放感を得ることは難しいという課題を有していた。
【０００７】
一方、前記特許文献２に記載されたような折畳み型の場合、引違い型に対し最大開放状態での開口率を大幅に高めることができ、採光効率と共に開放感を大きく向上させることができる。ただし、前記いずれの特許文献に記載のものも、開放に際しては、障子を側方に寄せるものとなっているため、最大開放と完全閉塞との中間の調整状態とする場合には、開放部分が出入口や窓等の開口部における側部や中間部の限られた部位となって、採光位置が偏ることとなり、障子を設けた出入口や窓等の開口部全域で、中間の調整状態として均等な採光を行うことはできないという課題を有していた。
【０００８】
出入口や窓等の開口部の全域にわたって、最大開放と完全閉塞の中間の調整状態を均等に得るためには、多数の羽根の角度を変化させるだけで最大開放から完全閉塞まで光の通過状態を変化させられる、ブラインドのような構造が考えられる。しかしながら、障子の場合、木枠に紙を貼る構造上、小さく形成したとしても障子はある程度の厚みと重量を有するものとなり、多数並べた薄く軽い羽根を一斉に開閉動作させる、一般的なブラインドの開閉構造を採用することは極めて難しかった。
【０００９】
本発明は前記課題を解消するためになされたもので、光を遮る遮蔽体の開閉動作状態を適切に設定して、光をそのまま通す最大開放状態における開口率を大きくしつつ、光を一部通す部分的開放状態を遮蔽体の傾動で細かく制御でき、採光に係る調整性能を高めた遮蔽体開閉装置を提供することを目的とする。
【課題を解決するための手段】
【００１０】
本発明に係る遮蔽体開閉装置は、横方向に延伸配設される上フレームと、遮光性又は一部透光性を有する矩形の略板状体で形成され、長辺方向端部に軸部を有し、長辺方向を上フレームと直交する向きとされつつ前記軸部を介して前記上フレームに横方向へ移動可能に支持されると共に、前記軸部を中心に所定角度範囲で傾動可能とされる複数の遮蔽体と、当該遮蔽体を上フレームに対し横方向に移動させ、各遮蔽体を近接させて上フレーム下側の領域における左右の領域端部のいずれか一方又は両方に寄せて配置した集合配置状態、及び、各遮蔽体を上フレーム下側の領域で横方向へ所定間隔を空けてそれぞれ配置した分散配置状態、のいずれかに切替える遮蔽体移動機構と、遮蔽体の前記分散配置状態で、各遮蔽体を、遮蔽体短辺方向が上フレームと略直交する向きから上フレームと略平行をなす向きまでの角度範囲で傾動させる、遮蔽体傾動機構とを備え、前記遮蔽体移動機構が、軸方向を上フレームと平行をなす向きとして各遮蔽体の上側に回動自在に支持される移動用軸と、当該移動用軸を回動させる駆動部とを有し、前記移動用軸が、遮蔽体を横方向に移動させる範囲で、螺旋状に連続する一又は複数の溝を、外周に穿設され、前記移動用軸の溝における螺旋のピッチが、前記遮蔽体の集合配置状態で領域端部に寄せた複数の遮蔽体の存在する範囲に相当する、移動用軸の軸端部所定寸法部分では、集合配置状態での遮蔽体同士の配置間隔を所定の自然数で割った大きさに対応するピッチとされ、且つ、移動用軸の前記軸端部所定寸法部分を除く他部分では、遮蔽体の分散配置状態での前記所定間隔を前記所定の自然数で割った大きさに対応するピッチとされてなり、前記遮蔽体が、軸部の上端部分を前記遮蔽体移動機構の移動用軸における溝と係合させた状態で上フレームに支持され、軸部の上端部分と溝との係合を維持しつつ、移動用軸の回動に伴って上フレームに対し横方向へ移動するものである。
【００１１】
このように本発明によれば、光を少なくとも一部遮る略板状の遮蔽体を、上フレームに対し横方向へ移動可能として複数配設し、遮蔽体移動機構をなす移動用軸の螺旋状の溝を遮蔽体の上端部分と係合させ、移動用軸の回動に伴う溝の案内で、上フレーム下側の領域における側端部とそれ以外の部分での移動の進行度合を異ならせつつ、遮蔽体を横方向へ移動させられることにより、移動用軸の回動のみで、遮蔽体を領域端部に寄せて上フレーム下側の領域を最大限に開放した遮蔽体の集合配置状態と、遮蔽体の向きを変えて光の通過を調整可能となる遮蔽体の分散配置状態との間で、遮蔽体を速やかに移動させることができ、こうして遮蔽体を適切な位置へスムーズ且つ確実に移動させられる状態を確保しつつ、この遮蔽体の移動機構を簡略化でき、遮蔽体の横方向移動に係る機構部分全体の小型化、低コスト化が図れると共に、移動用軸の溝と遮蔽体との係合状態を常に維持して、遮蔽体の横方向移動動作の安定度や信頼性を高められる。
【００１２】
また、本発明に係る遮蔽体開閉装置は必要に応じて、前記遮蔽体傾動機構が、前記遮蔽体の軸部で、遮蔽体と一体に取付けられる傾動用歯車と、上フレームと平行に配設され、各遮蔽体における傾動用歯車と噛合する傾動用ラックとを有してなり、前記傾動用歯車が、前記集合配置状態で寄せられた左又は右の領域端部で、領域中央により近い位置にある遮蔽体に取付けられるものほど、歯車外形を小さく形成され、前記傾動用ラックが、前記分散配置状態での各遮蔽体位置ごとに歯形部分を分けて配置されると共に、各歯形部分に対応する遮蔽体の、集合配置状態から分散配置状態に至るまでの横方向移動量が大きいほど、対応する歯形部分の遮蔽体軸部側への突出量を大きくして形成されるものである。
【００１３】
このように本発明によれば、遮蔽体にこれと一体の傾動用歯車を設けると共に、上フレームと平行をなして各遮蔽体の傾動用歯車と噛合する傾動用ラックを設け、この傾動用ラックの歯形部分が、分散配置状態での各遮蔽体の位置ごとに分けて配置され、且つ、遮蔽体の集合配置状態から分散配置状態に至るまでの横方向移動量が大きいほど、遮蔽体の傾動用歯車の外形が小さく形成されるのに対応させて、歯形部分の遮蔽体軸部側への突出量をそれぞれ設定することにより、遮蔽体の傾動用歯車と傾動用ラックの歯形部分は、分散配置状態での位置が対応するもの同士のみで噛合する以外、遮蔽体の横方向への移動に際して互いに接触することはなく、遮蔽体を無理なく横方向に移動させられる状態が得られる。また、各遮蔽体が分散配置状態に至って、傾動用歯車が対応する歯形部分と噛合った状態で、遮蔽体移動機構により遮蔽体をさらに横方向へ移動させると、傾動用歯車とラック歯形部分との噛合いに基づいて、傾動用歯車が移動しながら回動し、これと一体の遮蔽体を傾動させられることとなり、遮蔽体移動機構を利用して遮蔽体の傾動機構を動作させられ、遮蔽体の移動機構と傾動機構とを独立に配置せずに済み、遮蔽体の移動と傾動の機構を組合わせた形として機構全体を大幅に簡略化でき、且つ、協調動作する移動と傾動の機構同士が相互に悪影響を及すこともなく、安定に動作させられる。
【００１４】
また、本発明に係る遮蔽体開閉装置は必要に応じて、前記上フレームの下方に上フレームと平行に配設される下フレームを備え、前記遮蔽体の下端部が、前記下フレームに対し摺動又は転動して横方向に移動可能とされつつ下フレームで支持されるものである。
【００１５】
このように本発明によれば、上フレームと平行な下フレームを設け、上フレームと下フレームで各遮蔽体を支持しつつ、上フレームと下フレームとの間の領域で遮蔽体を横方向へ移動及び傾動させて、この領域を開放した状態と閉塞した状態とを得ることにより、遮蔽体が上下で安定的に支持され、遮蔽体の横方向への移動や傾動も、確実な支持の下でスムーズ且つ安定した動作として実行されることとなり、上フレームと下フレームとの間の領域における光の通過状態を遮蔽体を用いて適切に調整できる。
【００１６】
また、本発明に係る遮蔽体開閉装置は必要に応じて、前記遮蔽体の上下端部で、それぞれ遮蔽体の軸部と中心を一致させつつ遮蔽体に対し回動可能に取付けられ、上下で互いに同調して回動可能とされる二つの同調用歯車と、上フレームに沿って固定配設され、各遮蔽体における上側の同調用歯車と噛合する同調用上ラックと、下フレームに沿って固定配設され、各遮蔽体における下側の同調用歯車と噛合する同調用下ラックとを備えるものである。
【００１７】
このように本発明によれば、遮蔽体の上下に、一体に回動する同調用歯車を設けると共に、上下のフレームにそれぞれ同調用歯車に対応する同調用のラックを配設し、遮蔽体の横方向への移動に際し、上下の同調用歯車をそれぞれラックと噛合させ、この噛合いを維持する状態に遮蔽体を拘束することにより、上下のフレームに対する遮蔽体の横方向移動に係る進行度合が、遮蔽体の上下で一致することとなり、遮蔽体は上下のフレームに対しそれぞれ直交する状態を、フレームに対する位置に関わりなく維持でき、遮蔽体の軸部が各フレームに対し傾くことがなく、軸部を中心とする遮蔽体の傾動動作をスムーズに実行できる。
【００１８】
また、本発明に係る遮蔽体開閉装置は必要に応じて、前記遮蔽体移動機構の移動用軸が、前記軸端部所定寸法部分を、所定軸径の小径部とされる一方、前記軸端部所定寸法部分を除く他部分を、前記小径部より軸径の大きい大径部とされ、前記移動用軸の溝が、少なくとも軸中心に対する溝底位置を、前記小径部と大径部で同じ位置として穿設されると共に、軸外周部における溝幅を小径部より大径部で大きくされてなり、前記遮蔽体の軸部上端部が、移動用軸における小径部と大径部の溝に係合する先端部分に対し、より下側の、大径部の溝のみに係合する部分を、大径部の溝幅に対応させて、より太く形成されるものである。
【００１９】
このように本発明によれば、移動用軸の溝の螺旋ピッチが小さい軸端部所定寸法部分を小径部とする一方、溝の螺旋ピッチをより大きくした移動用軸の他部分を大径部とし、また、移動用軸外周の溝のうち、大径部における溝幅を大きくすると共に、遮蔽体の軸部上端部のうち、大径部のみに係合する部分を溝幅に対応させて太くして、大径部から力を受ける部位の強度を高めることにより、螺旋ピッチの大きい大径部から遮蔽体側に加わる横方向の力に十分に対応でき、移動用軸から遮蔽体へ力を無理なく確実に伝えて、遮蔽体の横方向への移動をスムーズ且つ安定したものとすることができる。
【００２０】
また、本発明に係る遮蔽体開閉装置は必要に応じて、前記遮蔽体が、上下左右の各辺を有して中央を開口部とされる矩形状の枠部と、当該枠部の開口部を塞ぐ透光性の紙シートとからなる障子構造を有し、前記軸部が、枠部における長辺となる左右の辺のいずれか一方の側に位置するものである。
【００２１】
このように本発明によれば、遮蔽体を枠部と紙シートとを組合わせた障子構造とすると共に、遮蔽体の軸部を枠部の側辺に位置させ、軸部が枠部の開口部を縦断しない構造とすることにより、遮蔽体で上フレーム下側の領域を閉塞した状態でも光を一部透過させて採光状態を維持できると共に、遮蔽体の紙シートで塞がれた開口部の全域で所定の透光性を発揮させることができ、遮蔽体を通じて一般的な障子と同様の透光状態が得られ、遮蔽体での閉塞状態では、光が紙シート部分を通るのみとなることで、一般的な障子のような柔らかく落着いた趣きの光が得られることとなる。
【図面の簡単な説明】
【００２２】
【図１】本発明の第１の実施形態に係る遮蔽体開閉装置の全開状態の正面図である。
【図２】本発明の第１の実施形態に係る遮蔽体開閉装置の閉塞状態の正面図である。
【図３】本発明の第１の実施形態に係る遮蔽体開閉装置における遮蔽体の集合配置状態説明図である。
【図４】本発明の第１の実施形態に係る遮蔽体開閉装置の左半分における遮蔽体の分散配置状態説明図である。
【図５】本発明の第１の実施形態に係る遮蔽体開閉装置の左半分における遮蔽体による閉塞状態説明図である。
【図６】本発明の第１の実施形態に係る遮蔽体開閉装置における遮蔽体移動機構及び遮蔽体の要部拡大正面図である。
【図７】本発明の第１の実施形態に係る遮蔽体開閉装置の一部省略縦断面図である。
【図８】本発明の第１の実施形態に係る遮蔽体開閉装置における遮蔽体の集合配置状態での遮蔽体の要部平面図である。
【図９】本発明の第１の実施形態に係る遮蔽体開閉装置における遮蔽体下部と下フレームとの配置関係説明図である。
【図１０】本発明の第１の実施形態に係る遮蔽体開閉装置における遮蔽体の横移動状態説明図である。
【図１１】本発明の第１の実施形態に係る遮蔽体開閉装置における遮蔽体傾動機構による閉塞動作時の遮蔽体の傾動開始状態説明図である。
【図１２】本発明の第１の実施形態に係る遮蔽体開閉装置における遮蔽体傾動機構による閉塞動作時の遮蔽体の最大傾動状態説明図である。
【図１３】本発明の第２の実施形態に係る遮蔽体開閉装置の全開状態の正面図である。
【図１４】本発明の第２の実施形態に係る遮蔽体開閉装置の閉塞状態の正面図である。
【図１５】本発明の第２の実施形態に係る遮蔽体開閉装置の遮蔽体による閉塞状態における遮蔽体移動機構と遮蔽体の位置関係説明図である。
【発明を実施するための形態】
【００２３】
（本発明の第１の実施形態）
以下、本発明の第１の実施形態に係る遮蔽体開閉装置を前記図１ないし図１２に基づいて説明する。本実施形態においては、部屋の外に面する窓の内側近傍に窓全体を遮蔽可能となる大きさとして配設され、窓から入射する外光の通過状態を調整する装置の例について説明する。
【００２４】
前記各図において本実施形態に係る遮蔽体開閉装置１は、部屋の窓７１近傍で窓７１に沿って横方向に延伸させて配設される上フレーム１０と、この上フレーム１０の下方の床に上フレーム１０と平行に配設される下フレーム２０と、一部透光性を有する矩形の略板状体で形成され、上下フレーム間の領域６０に横方向へ移動可能に配設されると共に、軸部３３を中心に傾動可能とされる複数の遮蔽体３０と、この遮蔽体３０を上下フレームに対し横方向に移動させる遮蔽体移動機構４０と、各遮蔽体３０を所定角度範囲で傾動させる遮蔽体傾動機構５０とを備える構成である。
【００２５】
前記上フレーム１０は、窓７１の上枠７１ａ近傍の壁面７０に上枠７１ａに沿って取付けられる略コ字状断面形状の長尺部材であり、遮蔽体３０の軸部３３と係合して遮蔽体３０を長手方向、すなわち横方向へ移動可能に支持するものである。この上フレーム１０にはこれと平行に同調用上ラック１１が配設されると共に、遮蔽体傾動機構５０の一部をなす傾動用ラック５２も、同様の平行な向きで配設される構成である。
【００２６】
また、上フレーム１０にはこれに沿って蓋部１２が取付けられ、この蓋部１２と上フレーム１０の間には、遮蔽体３０の上部や、前記同調用上ラック１１、傾動用ラック５２、さらに遮蔽体移動機構４０の要部などを収める中空部分が生じている。
【００２７】
前記下フレーム２０は、上フレーム１０の直下となる、窓の近傍の床面８０に一部埋込まれる状態で上フレーム１０と平行に取付けられる長尺の部材であり、遮蔽体３０の下部を載置されて遮蔽体３０を下から支えるものである。この下フレーム２０にはこれと平行に同調用下ラック２１が配設される。
【００２８】
前記遮蔽体３０は、上下左右の各辺を有して中央を開口部とされる矩形状の枠部３１と、この枠部３１の開口部を塞ぐ透光性の紙シート３２とからなる矩形の略板状体で形成され、長辺方向端部に軸部３３を有し、長辺方向を上フレーム１０と直交する向きとされつつ、軸部３３を介して上フレーム１０に横方向へ移動可能に支持されると共に、軸部３３を中心に所定角度範囲、例えば、少なくとも遮蔽体短辺方向が上フレーム１０と略直交する向きから上フレーム１０と略平行をなす向きまでの角度範囲で、傾動可能とされる構成である。
【００２９】
また、遮蔽体３０は、その下部に、下フレーム２０の長手方向に連続する溝部２２に対し摺動可能に載置係合されて、この溝部２２に沿って移動可能な摺動片３４と、この摺動片３４に一端を固定されると共に、他端を枠部３１の下辺に固定されて、巻線中心を軸部３３中心と一致させて配設されるつる巻きばねである回転規制ばね３５とを有しており、この遮蔽体３０下部は、下フレーム２０に対し摺動しつつ、下フレーム２０長手方向、すなわち、横方向へ移動可能に支持される。
【００３０】
こうした遮蔽体３０下部の下フレーム２０と接する部位や、上部の上フレーム１０と接する部位、あるいは、上フレーム１０や下フレーム２０における遮蔽体３０との接触部位については、遮蔽体３０の横方向への移動を容易にするために、摺動抵抗の小さい材質（フッ素樹脂やポリアセタール樹脂など）で構成するのが好ましい。
【００３１】
遮蔽体３０の上部では、軸部３３の上フレーム１０に係合して支持される部分より上側となる上端部分で、遮蔽体移動機構４０をなす移動用軸４１と係合することで、遮蔽体３０は遮蔽体移動機構４０から横方向に向う力を受け、上フレーム１０及び下フレーム２０に対し移動可能とされる。
【００３２】
遮蔽体３０の軸部３３は、遮蔽体３０の長辺方向の一方の端部から他方の端部まで連続したものとなっており、枠部３１における長辺の一方の側に位置し、遮蔽体３０はこの長辺の一方を中心に傾動する状態となる。こうして軸部３３が枠部３１と重複して開口部を縦断しない状態となっていることで、障子構造をなす遮蔽体３０の紙シート３２で塞がれた開口部の全域で透光性を発揮させることができ、遮蔽体３０を通じて一般的な障子と同様の透光状態が得られることとなる。
【００３３】
この軸部３３は、より具体的には、枠部３１と一体化された中空の外軸３６と、この外軸３６の中空部分に通されて外軸３６に対し回動可能とされる内軸３７とを有している。さらに、各遮蔽体３０の軸部３３における、上フレーム１０に支持される部分と軸部上端部分との間の部位で露出している内軸３７に、同調用上歯車１５が一体に取付けられる一方、下フレーム２０に接触する部分の直上部位で露出している内軸３７に、同調用下歯車２５が一体に取付けられる（図７参照）。
【００３４】
これら同調用上歯車１５と同調用下歯車２５がそれぞれ内軸３７に一体に取付けられることで、遮蔽体３０の他部分に対し同調用の上下の歯車１５、２５が軸部３３と中心を一致させつつ上下で一体に同調して回動できることとなる。なお、同調用上歯車１５が、上フレーム１０に固定配設される同調用上ラック１１と噛合し、同調用下歯車２５が、下フレーム２０に固定配設される同調用下ラック２１と噛合することで、上下のフレーム１０、２０に対する遮蔽体３０の横方向移動に係る進行度合が上下で一致する状態に拘束されることとなり、遮蔽体３０は上下のフレーム１０、２０に対しそれぞれ直交して垂直に起立した状態を、移動に関わりなく維持できる。
【００３５】
さらに、遮蔽体３０の下部では、下フレーム２０の溝部２２に係合して回転しない摺動片３４を設けると共に、この摺動片３４と遮蔽体３０の枠部３１下辺との間に回転規制ばね３５を配設し、且つ、遮蔽体短辺方向が上フレーム１０や下フレーム２０と直交する向きとなっている場合が、回転規制ばね３５のねじれ方向について力が加わっていない初期状態にあたるように、回転規制ばね３５を配置設定している。これにより、遮蔽体短辺方向が上フレーム１０や下フレーム２０と直交する向きからずれるように遮蔽体３０が回転しようとすると、回転規制ばね３５の付勢力による抵抗が加わることとなり、遮蔽体３０の横方向移動の際に、遮蔽体傾動機構５０がまだ動作しない段階でこれによる拘束がない状態でも、遮蔽体３０が回転せずその向きを維持できる仕組みである。
【００３６】
特に、遮蔽体３０の横方向移動に際して、同調用の上下の歯車１５、２５と共に内軸３７が回転しても、その外側の外軸３６や枠部３１が内軸３７の回転につれて共に回転してしまうようなことはなく、横方向移動の間、遮蔽体３０の向きを維持して、遮蔽体傾動機構５０により遮蔽体３０を適切な向きで傾動動作させられることとなる。
【００３７】
前記遮蔽体移動機構４０は、遮蔽体３０を上下フレーム１０、２０に対し横方向に移動させ、各遮蔽体３０同士を近接させて上下フレーム間の領域６０における左右の領域端部のそれぞれに遮蔽体３０を半数ずつ寄せて配置した集合配置状態、及び、各遮蔽体３０を上下フレーム間の領域６０の左半分と右半分のそれぞれで横方向へ略等間隔に配置した分散配置状態のいずれかに切替えるものである。
【００３８】
具体的には、遮蔽体移動機構４０は、軸方向を上フレーム１０及び下フレーム２０と平行をなす向きとし、各遮蔽体３０の上側で軸心周りに回動自在として支持される移動用軸４１と、この移動用軸４１を回動させる前記駆動部としてのスプロケット４２及びチェーン４９とを有する構成である。
【００３９】
前記移動用軸４１は、遮蔽体３０を横方向に移動させる範囲、すなわち左右の軸端部から軸中央部分までの範囲で、螺旋状に連続する左右の溝４１ａ、４１ｂ、４１ｃ、４１ｄを、左右で互いに対称をなす形状としつつ、外周に穿設される構成である。この移動用軸４１の溝４１ａ、４１ｂ、４１ｃ、４１ｄにおける螺旋のピッチは、前記集合配置状態で領域６０の左右端部に寄せた遮蔽体３０の存在する横方向範囲に相当する、移動用軸４１の軸端部所定寸法部分の溝４１ａ、４１ｄについては、集合配置状態での遮蔽体３０同士の配置間隔を所定の自然数で割った大きさに対応するピッチとされる（図３、図６参照）。
【００４０】
また、移動用軸４１の前記軸端部所定寸法部分を除く他部分の溝４１ｂ、４１ｃでは、各遮蔽体３０を上下フレーム間の領域６０のうち、窓７１に重なる範囲における左半分と右半分のそれぞれで横方向へ等間隔に並べた場合の、遮蔽体同士の間隔を、前記溝４１ａ、４１ｄの場合と同じ所定の自然数で割った大きさに対応するピッチとされる（図４、図５参照）。この溝４１ｂ、４１ｃにおける螺旋のピッチは、ちょうど遮蔽体３０の分散配置状態で、各遮蔽体３０が上フレーム１０と略平行をなすか、隣合う遮蔽体３０と接する向きまで最大限傾動して、それ以上傾動しない状態に至った際の、等間隔をなす遮蔽体３０の軸部３３同士の間隔を前記自然数で割った大きさに相当している。
【００４１】
加えて、移動用軸４１は、外周の溝４１ａ、４１ｄが前記集合配置状態での遮蔽体３０同士の配置間隔に対応する螺旋ピッチとされている、前記軸端部所定寸法部分を、所定軸径の小径部４３とされる一方、この軸端部所定寸法部分の小径部４３を除いた他部分を、小径部４３より軸径の大きい大径部４４とされる構成である（図３ないし図６参照）。そして、移動用軸４１の溝４１ａ、４１ｂ、４１ｃ、４１ｄは、軸中心に対する溝底位置を、小径部４３と大径部４４で同じ位置として穿設されると共に、軸外周部における溝幅を小径部４３より大径部４４で大きくされる構成である。
【００４２】
なお、この移動用軸４１の溝形状に対応させて、遮蔽体３０の軸部３３上端部は、移動用軸４１における小径部４３と大径部４４のいずれでも溝４１ａ、４１ｂ、４１ｃ、４１ｄに係合する先端部分に対し、より下側の、大径部４４の溝４１ｂ、４１ｃのみに係合する部分を、大径部４４の溝幅に対応させて、より太く形成される構成である（図４ないし図６、図１０参照）。こうして、小径部４３より溝４１ｂ、４１ｃの螺旋のピッチの大きい移動用軸４１の大径部４４において、ピッチ増加による横方向への進行量の増大に伴って、遮蔽体３０の軸部３３側へ加わる横方向の力が大きくなるのに対して、軸部３３における大径部４４から力を受ける部位を大きくしその強度を高めていることで、移動用軸４１から遮蔽体３０へ力を無理なく確実に伝えて、遮蔽体３０の横方向への移動をスムーズ且つ安定したものとすることができる。
【００４３】
前記スプロケット４２は、移動用軸４１と一体に形成され、チェーン４９を巻き掛けられてなり、チェーン４９からの駆動力を受けて回動可能とされるものであり、チェーン４９の形状に対応した複数の歯を有してチェーン４９と噛合う公知の構成であり、詳細な説明を省略する。また、チェーン４９は、所定長さの無端状態としてスプロケット４２に巻き掛けられ、スプロケット４２の下方に垂下がった状態として配設されるものである。このチェーン４９のスプロケット４２前後に位置する二つの部分のいずれかを使用者が下に引く操作により、これを巻き掛けられたスプロケット４２が回動する公知の仕組みで、移動用軸４１の駆動を行っている。
【００４４】
前記遮蔽体傾動機構５０は、前記遮蔽体３０上部の軸部３３で、遮蔽体３０をなす枠部３１と一体に取付けられる傾動用歯車５１と、上フレーム１０にこれと平行に配設され、各遮蔽体３０における傾動用歯車５１と噛合する傾動用ラック５２とを有する構成であり、装置の左右で互いに対称をなす状態で設けられ、遮蔽体３０の前記分散配置状態で、各遮蔽体３０を、遮蔽体短辺方向が上フレーム１０と略直交する向きから上フレーム１０と略平行をなす向きまでの角度範囲で傾動させるものである。
【００４５】
前記傾動用歯車５１は、遮蔽体３０の軸部３３における外軸３６に固定されて、枠部３１と一体に回動可能とされてなり（図７参照）、前記集合配置状態で寄せられた左又は右の領域端部で、領域６０の中央により近い位置にある遮蔽体３０に取付けられるものほど、歯車外形を小さく形成される構成である（図８参照）。
【００４６】
この傾動用歯車５１の各遮蔽体３０の軸部３３への取付位置は二通りあって、一方の位置に対し他方の位置が上又は下にわずかにずれた位置関係となっており、集合配置状態で隣合う遮蔽体３０同士で、それぞれの傾動用歯車５１の軸部取付位置が上下にずれて重複しないように設定される（図６ないし図８参照）。これにより、傾動用歯車５１が、領域６０の側端部により近い位置にある遮蔽体３０に取付けられるものほど、歯車外形を大きくされて、遮蔽体３０の厚さを超えるような外形となっている場合でも、集合配置状態において隣合う遮蔽体３０間で傾動用歯車５１同士が接触するようなことはなく、集合配置状態で隣合う遮蔽体同士を無理なく接近させて、密に並べた状態とすることができる（図６参照）。
【００４７】
前記傾動用ラック５２は、前記分散配置状態での各遮蔽体３０の位置ごとに歯形部分５２ａを分けて配置されると共に、各歯形部分に対応する遮蔽体３０の、集合配置状態から分散配置状態に至るまでの横方向移動量が大きいほど、すなわち、分散配置状態での遮蔽体位置が領域６０の中央に近いほど、対応する歯形部分５２ａの遮蔽体軸部側への突出量を大きくして形成される構成である（図１１、図１２参照）。すなわち、傾動用ラック５２の各遮蔽体位置ごとの歯形部分５２ａは、それぞれ該当する遮蔽体３０に設けられた傾動用歯車５１の外形の大きさに対応した突出量とされ、傾動用歯車５１とラック５２の歯形部分５２ａは、対応するもの同士のみで噛合することとなる。
【００４８】
このように、各遮蔽体３０における傾動用歯車５２の外形が、分散配置状態での遮蔽体位置が領域６０の中央に近いほど小さく、傾動用ラック５２の各歯形部分５２ａの突出量は領域６０の中央に近いほど大きくなっていることから、遮蔽体３０が分散配置状態での対応位置にある場合を除き、遮蔽体３０の傾動用歯車５１は傾動用ラック５２各部と接触することなく横方向へ移動可能である。
【００４９】
傾動用歯車５１と傾動用ラック５２が噛合った状態で、遮蔽体移動機構４０の移動用軸４１が回転して遮蔽体３０の横方向移動が生じると、固定の傾動用ラック５２の歯形部分５２ａに対して噛合っている傾動用歯車５１が、遮蔽体３０と共に横移動しながら回転することから、この傾動用歯車５１と一体の軸部３３の外軸３６や枠部３１といった遮蔽体要部も回転し、こうして遮蔽体３０が上下フレーム１０、２０に対し傾動する状態が得られることとなる。
【００５０】
ここで、遮蔽体短辺方向が上フレーム１０や下フレーム２０と直交する向きからずれるように遮蔽体３０が回転しようとすると、下部の回転規制ばね３５のねじりの付勢力による抵抗が加わるものの、遮蔽体３０の横方向移動並びに傾動用歯車５１と傾動用ラック５２との噛合いによる遮蔽体３０の傾動駆動力は、回転規制ばね３５による抵抗を大きく上回ることから、遮蔽体３０を上下フレーム１０、２０に対し問題なく傾動させることができる。
【００５１】
なお、傾動用ラック５２の各歯形部分５２ａの長手方向寸法は、遮蔽体３０を傾動させるにあたって回動させる傾動用歯車５１の回動角度に応じた噛合期間を与えるものとされる。遮蔽体３０における傾動用歯車５１の大きさは領域６０の側端部に近いほど大きくなっているため、同じ回動角度を与えるためには、側端部に近い位置ほど噛合期間を長くする必要があり、傾動用ラック５２の歯形部分５２ａは、領域６０の側端部に近い位置ほど、長手方向により長く形成される構成である。
【００５２】
次に、本実施形態に係る遮蔽体開閉装置における遮蔽体の開閉動作について説明する。まず、遮蔽体３０の集合配置状態、すなわち、上下フレーム１０、２０間の領域６０における左右の領域端部のそれぞれに、遮蔽体３０を半数ずつ寄せて互いに近接させて配置した状態とし、上下フレーム間の領域６０の略全域を開放して、窓７１から光が直接部屋に達する状況（図１参照）から、上下フレーム間の領域６０に均等に配置した遮蔽体３０で窓７１を覆って、窓７１からの入射光が遮蔽体３０を通じてのみ部屋に達する状況（図２参照）まで変化させる、遮蔽体３０の閉塞動作の場合を説明する。
【００５３】
遮蔽体３０の集合配置状態では、上下フレーム１０、２０間の領域６０における左右の端部において、遮蔽体３０は短辺方向を上下フレーム１０、２０に対し直交する向きとし、且つ遮蔽体相互間に遮蔽体３０の厚さより小さいわずかな隙間を生じさせた状態で並列している。この集合配置状態で領域６０の左右端部に寄せた遮蔽体３０の存在する横方向範囲に相当する、移動用軸４１の軸端部所定寸法部分は、それぞれ小径部４３とされており、その外周の溝４１ａ、４１ｄは、この集合配置状態での遮蔽体３０同士の配置間隔を所定の自然数で割った寸法、例えば配置間隔の１／５の寸法（図６参照）、に対応する螺旋ピッチとなっている。
【００５４】
この遮蔽体３０の集合配置状態では、上下フレーム間の領域６０のうち、左右端部以外のほとんどの部分は遮蔽体３０の存在しない全開状態となっており、窓側からの光を遮るものはなく、光をそのまま損失無く部屋内へ通すことができる。
【００５５】
この遮蔽体３０が集合配置状態にあり、上下フレーム間の領域６０の略全域を開放している状況から、遮蔽体移動機構４０のチェーン４９を使用者が操作してスプロケット４２を動かし、移動用軸４１をその外周の溝の螺旋が軸端部から中央へ進行するようになる向きへ回転させると、回転により動く小径部４３外周の螺旋状の溝４１ａ、４１ｄによる案内で、この溝に係合する遮蔽体３０の軸部上端部が横方向に向う力を受け、遮蔽体全体が上下のフレーム１０、２０に対し、移動用軸４１の回転数と小径部４３の溝ピッチに応じた速さで移動を開始する（図１０（Ａ）参照）。
【００５６】
遮蔽体が横方向に移動すると、上フレーム１０の同調用上ラック１１と噛合する同調用上歯車１５と、下フレーム２０の同調用下ラック２１と噛合する同調用下歯車２５とが上下で一体に同調して回転し、遮蔽体上下の横方向への進行度合を一致する状態に拘束して、遮蔽体３０が上下のフレーム１０、２０に対しそれぞれ直交して垂直に起立した状態を保持することとなる。
【００５７】
遮蔽体の横方向移動で、最も中央寄りの遮蔽体３０が、移動用軸４１の溝との係合位置を、小径部４３の溝４１ａ、４１ｄから大径部の溝４１ｂ、４１ｃに変えると、移動用軸４１の回転数と大径部４４の溝ピッチに応じた、小径部４３の場合より速い速度で、遮蔽体３０は移動することとなる。
【００５８】
大径部４４の溝４１ｂ、４１ｃに係合する遮蔽体と、小径部４３の溝４１ａ、４１ｄに係合する遮蔽体とは、横方向への移動速度が異なるため、大径部４４側の遮蔽体と小径部４３側の遮蔽体との間隔は広がっていき（図１０（Ｂ）参照）、ちょうどこの間隔が分散配置状態での遮蔽体同士の間隔に達すると（図１０（Ｃ）参照）、次の中央寄りの遮蔽体が、移動用軸４１の溝との係合位置を、小径部４３の溝４１ａ、４１ｄから大径部４４の溝４１ｂ、４１ｃに変えて、速い速度での横方向移動状態に移行する。これが順次繰返されて、大径部側に移行した遮蔽体間には所定間隔が生じた状態となる。
【００５９】
各遮蔽体３０の移動に伴い、領域６０の左右端部寄りの遮蔽体３０以外の遮蔽体が移動用軸４１の大径部４４側に移行し、遮蔽体３０同士が離隔して、各遮蔽体３０が上下フレーム間の領域６０の左半分と右半分のそれぞれで、横方向へ略等間隔に配置された分散配置状態に達すると（図４参照）、各遮蔽体３０の軸部３３に取付けられた遮蔽体傾動機構５０の傾動用歯車５１が、傾動用ラック５２の対応する歯形部分５２ａとそれぞれ噛合う（図１１参照）。そして、移動用軸４１の回転による遮蔽体３０のさらなる横方向移動に伴って、上フレーム１０に固定の傾動用ラック５２の各歯形部分５２ａに対して、噛合う傾動用歯車５１が遮蔽体３０と共に横移動しながら回転する。この傾動用歯車５１の回転で、これと一体の軸部３３の外軸３６や枠部３１といった遮蔽体要部も回転し、遮蔽体３０が上下フレーム１０、２０に対し傾動する状態となる。
【００６０】
こうして遮蔽体３０が、その短辺方向が上フレーム１０や下フレーム２０と直交する向きから傾動する際、下部の回転規制ばね３５の付勢力による抵抗が加わるが、遮蔽体３０の横方向移動並びに傾動用歯車５１と傾動用ラック５２の歯形部分５２ａとの噛合いによる遮蔽体３０の傾動駆動力は、回転規制ばね３５による抵抗を大きく上回るため、遮蔽体３０はそのまま傾動できる。
【００６１】
この傾動の際、遮蔽体３０の傾動角度に応じて、遮蔽体３０間の開放部分が狭まり、窓側から直接入射する光と遮蔽体３０の紙シート３２を通過した光との割合が変化することとなる。よって、必要に応じてチェーン４９の操作を中断して移動用軸４１の回転を止め、遮蔽体３０の横方向移動及び傾動を停止して、遮蔽体３０の傾動角度を適宜設定することで、好みの採光状態を得ることができる。
【００６２】
全ての遮蔽体３０が、上フレーム１０と略平行をなすか、隣合う遮蔽体３０と接する向きまで傾動して、それ以上傾動しない状態に至ったら（図５、図１２参照）、使用者はチェーン４９の操作を止め、移動用軸４１の回転を停止させる。移動用軸４１の回転が停止すると、遮蔽体３０の横方向移動が停止すると共に、遮蔽体３０の傾動も停止する。この時、全ての遮蔽体３０は移動用軸４１の大径部４４側に移行しており、遮蔽体３０の軸部３３は等間隔で配置された状態にある。また、全遮蔽体で領域６０を閉塞しており、遮蔽体３０で窓７１が覆われ、窓７１からの入射光が遮蔽体３０の紙シート３２を通じてのみ部屋に達する状況にある（図２参照）。
【００６３】
遮蔽体で領域６０を閉塞した状態では、窓側からの光が遮蔽体３０の紙シート３２部分を通してのみ達することで、紙シートを通して強度を落した、柔らかく落着いた趣きの光が得られる、障子を通したような採光状態とすることができる。
【００６４】
続いて、上記と逆に、上下フレーム間の領域６０に均等に配置した遮蔽体３０で窓７１を覆って、窓７１からの入射光が遮蔽体を通じてのみ部屋に達する状況（図２参照）から、遮蔽体３０を集合配置状態とし、上下フレーム間の領域６０の略全域を開放して窓７１から光が直接部屋に達する状況（図１参照）まで変化させる、遮蔽体３０の開放動作の場合を説明する。
【００６５】
遮蔽体で領域６０を閉塞した状態から、遮蔽体移動機構４０のチェーン４９を使用者が操作してスプロケット４２を動かし、上記の場合とは逆に、移動用軸４１をその外周の溝の螺旋が軸中央から軸端部へ進行するようになる向きへ回転させると、回転により動く大径部４４外周の螺旋状の溝４１ｂ、４１ｃによる案内で、この溝４１ｂ、４１ｃに係合する遮蔽体３０の軸部３３上端部が横方向に向う力を受け、遮蔽体全体が上下のフレーム１０、２０に対し、移動用軸４１の回転数と大径部４４の溝ピッチに応じた速さで領域の中央側から端部側へ向う方向へ移動を開始する。
【００６６】
この遮蔽体３０の横方向移動と同時に、傾動用ラック５２の歯形部分５２ａと噛合う傾動用歯車５１が、固定状態の傾動用ラック５２に対し、遮蔽体３０と共に横移動しながら回転する。この傾動用歯車５１の回転で、これと一体の軸部３３の外軸３６や枠部３１といった遮蔽体要部も回転し、遮蔽体３０が上下フレーム１０、２０に対し上記と逆方向、すなわち遮蔽体間に開放部分を生じさせ、且つこの開放部分を広げる向きに傾動する状態となる。
【００６７】
この傾動の際、遮蔽体３０の傾動角度に応じて、遮蔽体３０間の開放部分が広がり、前記同様に、窓側から直接入射する光と遮蔽体３０の紙シート３２を通過した光との割合が変化することから、必要に応じてチェーン４９の操作を中断して移動用軸４１の回転を止め、遮蔽体３０の横方向移動及び傾動を停止して、遮蔽体３０の傾動角度を適宜設定すれば、好みの採光状態を得ることができる。
【００６８】
全ての遮蔽体３０が、遮蔽体短辺部分が上下フレームと直交する向きとなるまで傾動して、遮蔽体３０の傾動用歯車５１と傾動用ラック５２の歯形部分との噛合いが解除されると、移動用軸４１の回転による遮蔽体３０のさらなる横方向移動に伴って、分散配置状態にあった各遮蔽体３０のうち、最も領域６０の側端部寄りの遮蔽体以外の各遮蔽体３０が、移動用軸４１の溝との係合位置を、大径部４４の溝４１ｂ、４１ｃから小径部４３の溝４１ａ、４１ｄに変えながら、遮蔽体同士の間隔を狭めていく。
【００６９】
すなわち、大径部４４から小径部４３側に移行した遮蔽体３０は、移動用軸４１の回転数と小径部４３の溝ピッチに応じた、大径部４４の場合より遅い速度で、横方向に移動する。この小径部４３の溝４１ａ、４１ｄに係合する遮蔽体と、大径部４４の溝４１ｂ、４１ｃに係合する遮蔽体とは、横方向への移動速度が異なることから、遮蔽体同士の間隔は移動につれて狭まることとなる。
【００７０】
そして、この間隔が集合配置状態での遮蔽体同士の間隔に達すると、次に側端部に近い遮蔽体３０が、移動用軸４１の溝との係合位置を、大径部４４の溝４１ｂ、４１ｃから小径部４３の溝４１ａ、４１ｄに変えて、より遅い速度での横方向移動状態に移行する。これが順次繰返されて、小径部４３側に全ての遮蔽体３０が移行すると、遮蔽体３０は、隣合う他の遮蔽体との間にその厚さより小さいわずかな隙間を生じさせつつ並列した集合配置状態となる。
【００７１】
この集合配置状態で領域６０の左右端部に寄った遮蔽体３０のうち、最も領域端部寄りの遮蔽体が、移動用軸４１との関係でそれ以上横方向に移動させられない位置まで達したら、使用者はチェーン４９の操作を止め、移動用軸４１の回転を停止させる。移動用軸４１の回転の停止に伴い、遮蔽体３０の横方向移動が停止する。この時、上下フレーム間の領域６０のうち、左右端部以外のほとんどの部分は遮蔽体３０の存在しない全開状態（図１参照）となり、あらためて窓７１から光が直接部屋に達する状況にある。
【００７２】
このように、本実施形態に係る遮蔽体開閉装置は、光を一部遮る略板状の遮蔽体３０を、上フレーム１０及び下フレーム２０に対し横方向へ移動可能として複数配設し、遮蔽体移動機構４０をなす移動用軸４１の螺旋状の溝を遮蔽体３０の上端部分と係合させ、移動用軸４１の回動に伴う溝の案内で、上下フレーム間の領域における側端部とそれ以外の部分での移動の進行度合を異ならせつつ、遮蔽体３０を横方向へ移動させられることから、移動用軸４１の回動のみで、遮蔽体３０を上下フレーム間の領域６０の左右端部に寄せて領域６０を大きく開放した遮蔽体３０の集合配置状態と、遮蔽体３０を上下フレーム間の領域６０全体に広く配置し、遮蔽体３０の向きを変えて光の通過を調整できるようにした遮蔽体３０の分散配置状態との間で、各遮蔽体３０を速やかに移動させることができ、こうして各遮蔽体３０を適切な位置へスムーズ且つ確実に移動させられる状態を確保しつつ、遮蔽体移動機構４０を簡略化でき、遮蔽体３０の横方向移動に係る機構部分全体の小型化、低コスト化が図れると共に、移動用軸４１の溝と遮蔽体３０との係合状態を常に維持して、遮蔽体３０の横方向移動動作の安定度や信頼性を高められる。
【００７３】
また、遮蔽体傾動機構５０として、遮蔽体３０にこれと一体の傾動用歯車５１を設けると共に、上フレーム１０と平行をなして各遮蔽体３０の傾動用歯車５１と噛合する傾動用ラック５２を設け、各遮蔽体３０が分散配置状態に至って、傾動用歯車５１が対応する歯形部分５２ａと噛合った状態で、遮蔽体移動機構４０により遮蔽体３０をさらに横方向へ移動させると、傾動用歯車５１とラックの歯形部分５２ａとの噛合いに基づいて、傾動用歯車５１が移動しながら回動し、これと一体の遮蔽体３０を傾動させられることで、遮蔽体移動機構４０を利用して遮蔽体傾動機構５０を動作させられ、遮蔽体の移動機構と傾動機構とを独立に配置せずに済み、遮蔽体３０の移動と傾動の機構を組合わせた形として機構全体を大幅に簡略化でき、且つ、協調動作する移動と傾動の機構同士が相互に悪影響を及すこともなく、安定に動作させられる。
【００７４】
（本発明の第２の実施形態）
本発明の第２の実施形態に係る遮蔽体開閉装置を前記図１３ないし図１５に基づいて説明する。本実施形態においても、前記第１の実施形態同様、部屋の外に面する窓の内側近傍に窓全体を遮蔽可能となる大きさとして配設され、窓から入射する外光の通過状態を調整する装置の例について説明する。
【００７５】
前記各図において本実施形態に係る遮蔽体開閉装置２は、前記第１の実施形態同様、上フレーム１０と、下フレーム２０と、遮蔽体３０と、遮蔽体移動機構４０と、遮蔽体傾動機構５０とを備える一方、異なる点として、遮蔽体移動機構が、遮蔽体３０の集合配置状態として、上下フレーム間の領域６０における左側の端部のみに各遮蔽体３０を寄せて近接させた状態とし、この集合配置状態から、各遮蔽体３０を領域６０の左側から右側へ向かう横方向にのみ移動させて、各遮蔽体３０を上下フレーム間の領域６０の横方向全体にわたり所定間隔で配置した分散配置状態に移行させ、逆に分散配置状態から集合配置状態への移行の際には、各遮蔽体３０を領域６０の右側から左側へ向かう横方向にのみ移動させる構成を有するものである。
なお、上フレーム１０、下フレーム２０、及び遮蔽体３０については、前記第１の実施形態の場合と同様の構成であり、説明を省略する。
【００７６】
前記遮蔽体移動機構４０は、前記第１の実施形態同様、移動用軸４６と、スプロケット４２と、チェーン４９とを有する構成である。ただし、異なる点として、前記移動用軸４６は、遮蔽体３０を横方向に移動させる範囲、すなわち一方の軸端部から他方の軸端部までの範囲で、螺旋状に連続する溝４６ａ、４６ｂを外周に穿設される構成であり、前記第１の実施形態の場合の装置左半分の部分のみに相当するものとなっている。
【００７７】
この移動用軸４６の溝４６ａ、４６ｂにおける螺旋のピッチのうち、前記集合配置状態で領域６０の左側端部に寄せた遮蔽体３０の存在する横方向範囲に相当する、移動用軸４６の軸端部所定寸法部分の溝４６ａについては、集合配置状態での遮蔽体３０同士の配置間隔を所定の自然数で割った寸法に対応するピッチとされる。また、移動用軸４６の前記軸端部所定寸法部分を除く他部分の溝４６ｂでは、各遮蔽体３０を上下フレーム間の領域６０のうち窓７１に重なる範囲で横方向へ等間隔に並べた場合の、遮蔽体同士の間隔を、前記溝４６ａの場合と同じ所定の自然数で割った寸法に相当するピッチとされる。
【００７８】
加えて、移動用軸４６は、小さい螺旋ピッチの溝４６ａのある前記軸端部所定寸法部分を、所定軸径の小径部４７とされる一方、この小径部４７を除いた他部分を、小径部４７より軸径の大きい大径部４８とされる構成である。なお、移動用軸４６の溝４６ａ、４６ｂは、前記第１の実施形態同様、軸中心に対する溝底位置を、小径部４７と大径部４８で同じ位置として穿設されると共に、軸外周部における溝幅を小径部４７より大径部４８で大きくされる構成である。
【００７９】
前記遮蔽体傾動機構５０は、前記第１の実施形態同様、傾動用歯車５１と、傾動用ラック５２とを有する構成である。ただし、異なる点として、前記第１の実施形態の場合の装置左半分の部分のみに相当するものとなっており、前記傾動用歯車５１は、前記集合配置状態で寄せられた領域６０の左側端部で、領域６０の中央により近い位置にある遮蔽体３０に取付けられるものほど、すなわち、分散配置状態で領域６０の右側端部により近い位置の遮蔽体３０に取付けられるものほど、歯車外形を小さく形成される構成である。また、前記傾動用ラック５２は、各歯形部分（図示を省略）に対応する遮蔽体３０の、集合配置状態から分散配置状態に至るまでの横方向移動量が大きいほど、すなわち、分散配置状態での遮蔽体位置が領域６０の右側端部に近いほど、対応する歯形部分の遮蔽体軸部側への突出量を大きくして形成される構成である。
【００８０】
なお、傾動用歯車５１は、前記第１の実施形態同様、集合配置状態で隣合う遮蔽体３０同士で、それぞれの傾動用歯車５１の軸部取付位置が上下にずれて重複しないように設定されており、集合配置状態で隣合う遮蔽体３０間で傾動用歯車５１同士が接触するようなことはなく、隣合う遮蔽体３０同士を無理なく接近させて、密に並べた状態とすることができる。
【００８１】
こうして、各遮蔽体３０における傾動用歯車５１の外形が、分散配置状態での遮蔽体位置が領域６０の右側端部に近いほど小さく、傾動用ラック５２の各歯形部分の突出量は領域６０の右側端部に近いほど大きくなっていることから、前記第１の実施形態同様、遮蔽体３０が分散配置状態での対応位置にある場合を除き、遮蔽体３０の傾動用歯車５１は傾動用ラック５２各部と接触することなく横方向へ移動可能である。
【００８２】
次に、本実施形態に係る遮蔽体開閉装置における遮蔽体の開閉動作について説明する。まず、遮蔽体３０を集合配置状態とし、上下フレーム間の領域６０の略全域を開放して、窓７２から光が直接部屋に達する状況（図１３参照）から、上下フレーム間の領域６０に均等に配置した遮蔽体３０で窓７２を覆って、窓７２からの入射光が遮蔽体３０を通じてのみ部屋に達する状況（図１４参照）まで変化させる、遮蔽体の閉塞動作の場合を説明する。
【００８３】
遮蔽体３０が、上下フレーム１０、２０間の領域６０における左側端部に寄せて近接配置された集合配置状態にあり、上下フレーム間の領域６０の略全域を開放している状況から、遮蔽体移動機構４０のチェーン４９を使用者が操作してスプロケット４２を動かし、移動用軸４６をその外周の溝４６ａ、４６ｂの螺旋が左側の軸端部から右側の軸端部へ進行するようになる向きへ回転させると、回転により動く小径部４７外周の螺旋状の溝４６ａによる案内で、この溝４６ａに係合する遮蔽体３０の軸部上端部が横方向に向う力を受け、遮蔽体全体が上下のフレーム１０、２０に対し、移動用軸４６の回転数と小径部４７の溝ピッチに応じた速さで移動を開始する。
【００８４】
遮蔽体３０の横方向移動で、最も領域６０右側端部寄りの遮蔽体３０が、移動用軸４６の溝との係合位置を、小径部４７の溝４６ａから大径部４８の溝４６ｂに変えると、移動用軸４６の回転数と大径部４８の溝ピッチに応じた、小径部４７の場合より速い速度で、遮蔽体３０は移動することとなる。
【００８５】
この大径部４８の溝４６ｂに係合する遮蔽体と、小径部４７の溝４６ａに係合する遮蔽体とは、横方向への移動速度が異なるため、遮蔽体同士の間隔は移動につれて広がっていき、ちょうどこの間隔が分散配置状態での遮蔽体同士の間隔に達すると、次の領域６０右側端部寄りの遮蔽体３０が、移動用軸４６の溝との係合位置を、小径部４７の溝４６ａから大径部４８の溝４６ｂに変えて、速い速度での横方向移動状態に移行する。これが順次繰返されて、大径部４８側に移行した遮蔽体は、それぞれ所定の等間隔を空けて配置された状態となる。
【００８６】
各遮蔽体３０の移動に伴い、領域６０の左側端部寄りの遮蔽体３０以外の遮蔽体３０が移動用軸４６の大径部４８側に移行し、遮蔽体３０同士が離隔して、各遮蔽体３０が上下フレーム間の領域６０の全体で、横方向へ略等間隔に配置された分散配置状態に達すると、前記第１の実施形態同様、各遮蔽体３０の軸部３３に取付けられた遮蔽体傾動機構５０の傾動用歯車５１が、傾動用ラック５２の対応する歯形部分とそれぞれ噛合う。そして、移動用軸４６の回転による遮蔽体３０のさらなる横方向移動に伴って、上フレーム１０に固定の傾動用ラック５２の各歯形部分に対して、噛合う傾動用歯車５１が遮蔽体３０と共に横移動しながら回転する。この傾動用歯車５１の回転で、これと一体の軸部３３の外軸３６や枠部３１といった遮蔽体要部も回転し、遮蔽体３０が上下フレーム１０、２０に対し傾動する状態となる。
【００８７】
この傾動の際、遮蔽体３０の傾動角度に応じて、遮蔽体３０間の開放部分が狭まり、窓側から直接入射する光と遮蔽体３０の紙シート３２を通過した光との割合が変化する。
【００８８】
全ての遮蔽体３０が上フレーム１０と略平行をなすか、隣合う遮蔽体３０と接する向きまで傾動して、それ以上傾動しない状態に至ったら、使用者はチェーン４９の操作を止め、移動用軸４６の回転を停止させる。移動用軸４６の回転停止に伴い、遮蔽体３０の横方向移動が停止すると共に、遮蔽体３０の傾動も停止する。この時、全遮蔽体で領域６０を閉塞した状態（図１４参照）となっており、遮蔽体３０で窓７２が覆われ、窓７２からの入射光は、遮蔽体３０の紙シート３２を通じてのみ部屋に達する。
【００８９】
続いて、上記と逆に、上下フレーム間の領域６０全体に均等に配置した遮蔽体３０で窓７２を覆って、窓７２からの入射光が遮蔽体を通じてのみ部屋に達する状況（図１４参照）から、遮蔽体３０を集合配置状態とし、上下フレーム間の領域６０の略全域を開放して窓７２から光が直接部屋に達する状況（図１３参照）まで変化させる、遮蔽体３０の開放動作の場合を説明する。
【００９０】
遮蔽体で領域６０を閉塞した状態から、遮蔽体移動機構４０のチェーン４９を使用者が操作してスプロケット４２を動かし、上記の場合とは逆に、移動用軸４６をその外周の溝の螺旋が右側の軸端部から左側の軸端部へ進行するようになる向きへ回転させると、回転により動く大径部４８外周の螺旋状の溝４６ｂによる案内で、この溝４６ｂに係合する遮蔽体３０の軸部３３上端部が横方向に向う力を受け、遮蔽体全体が上下のフレーム１０、２０に対し、移動用軸４６の回転数と大径部４８の溝ピッチに応じた速さで、領域６０の右側から左側へ向う横方向への移動を開始する。
【００９１】
この遮蔽体３０の横方向移動と同時に、傾動用ラック５２の歯形部分と噛合う傾動用歯車５１が、固定状態の傾動用ラック５２に対し、遮蔽体３０と共に移動しながら回転する。この傾動用歯車５１の回転で、これと一体の軸部３３の外軸３６や枠部３１といった遮蔽体要部も回転し、遮蔽体３０が上下フレーム１０、２０に対し上記と逆方向、すなわち遮蔽体間に開放部分を生じさせ、且つこの開放部分を広げる向きに傾動する状態となる。
【００９２】
この傾動の際、遮蔽体３０の傾動角度に応じて、遮蔽体３０間の開放部分が広がり、前記同様に、窓側から直接入射する光と遮蔽体３０の紙シート３２を通過した光との割合が変化する。
【００９３】
全ての遮蔽体３０が、遮蔽体短辺部分が上下フレームと直交する向きとなるまで傾動して、遮蔽体３０の傾動用歯車５１と傾動用ラック５２の歯形部分との噛合いが解除されると、移動用軸４６の回転による遮蔽体３０のさらなる横方向移動に伴って、分散配置状態にあった各遮蔽体３０のうち、最も領域６０の左側端部寄りの遮蔽体３０以外の各遮蔽体が、移動用軸４６の溝との係合位置を、大径部４８の溝４６ｂから小径部４７の溝４６ａに変えながら、遮蔽体同士の間隔を狭めていく。
【００９４】
すなわち、大径部４８から小径部４７側に移行した遮蔽体３０は、移動用軸４６の回転数と小径部４７の溝ピッチに応じた速度で横方向に移動する。この小径部４７の溝４６ａに係合する遮蔽体と、大径部４８の溝４６ｂに係合する遮蔽体とは、横方向への移動速度が異なることから、小径部４７側の遮蔽体と大径部４８側の遮蔽体との間隔は移動につれて狭まることとなる。
【００９５】
そして、この間隔が集合配置状態での遮蔽体同士の間隔に達すると、次に左側端部に近い遮蔽体３０が、移動用軸４６の溝との係合位置を、大径部４８の溝４６ｂから小径部４７の溝４６ａに変えて、より遅い速度での横方向移動状態に移行することとなる。これが順次繰返されて、小径部４７側に全ての遮蔽体３０が移行すると、遮蔽体３０は、隣合う他の遮蔽体との間にその厚さより小さいわずかな隙間を生じさせつつ並列した集合配置状態となる。
【００９６】
この集合配置状態で領域６０の左側端部に寄った遮蔽体３０のうち、最も領域端部寄りの遮蔽体が、移動用軸４６との関係でそれ以上横方向に移動させられない位置まで達したら、使用者はチェーン４９の操作を止め、移動用軸４６の回転を停止させる。移動用軸４６の回転の停止に伴い、遮蔽体３０の横方向移動が停止する。この時、上下フレーム間の領域６０のうち、左側端部以外のほとんどの部分は遮蔽体３０の存在しない全開状態（図１３参照）となり、あらためて窓７２から光が直接部屋に達する状況にある。
【００９７】
このように、本実施形態に係る遮蔽体開閉装置は、遮蔽体３０を上フレーム１０及び下フレーム２０に対し横方向へ移動可能且つ傾動可能として複数配設し、移動用軸４６の連続する螺旋状溝を遮蔽体３０の上端部分と係合させ、移動用軸４６の回動で、上下フレーム間の領域６０における左側端部とそれ以外の部分での移動の進行度合を異ならせつつ、遮蔽体３０を横方向へ移動させ、さらに傾動用歯車５１と傾動用ラック５２との噛合いに基づいて、遮蔽体３０を傾動させることから、前記第１の実施形態同様、移動用軸４６の回動のみで、遮蔽体３０の集合配置状態と分散配置状態との間で、各遮蔽体３０を速やかに移動させられると共に、傾動用歯車５１を回動させて遮蔽体３０を傾動させることができ、遮蔽体３０の移動と傾動の機構を組合わせて機構全体の簡略化が図れる。これに加えて、遮蔽体移動機構４０をなす移動用軸４６の螺旋状溝を軸全体で連続したものとして、各遮蔽体３０の移動方向や傾動の向きをそれぞれの動作状態で一様にすることで、遮蔽体移動機構４０と遮蔽体傾動機構５０の各部構造をさらに簡略で信頼性の高いものとすることができる。
【００９８】
なお、前記第１及び第２の実施形態に係る遮蔽体開閉装置においては、遮蔽体３０を上フレーム１０と下フレーム２０の両方で上下から支持する構成としているが、これに限らず、上フレームが十分な強度を有する場合、上フレームのみで遮蔽体を支持する構成とすることもでき、上フレーム下方の床面等の構造を変更せずに済み、装置をより容易に導入可能となる。
【００９９】
また、前記第１及び第２の実施形態に係る遮蔽体開閉装置においては、装置を窓７１、７２近傍に設けて、必要に応じて遮蔽体３０で窓７１、７２を遮蔽し、窓側からの光を遮る、一種のブラインドのような用途に用いる構成としているが、これに限らず、部屋等の空間内部に配設して、空間を分ける間仕切りとして用いる構成とすることもでき、間仕切りとして使用しない場合は、遮蔽体を端に寄せた集合配置状態として装置中央を開放状態とすれば、人の通行にも容易且つ速やかに対応でき、使い勝手の面でも優れる。こうした間仕切りとして用いる場合、天井に上フレーム、床に下フレームを設け、その間に遮蔽体を配置して、部屋の上下方向全体にわたって仕切る構成とする他、上下左右の各辺を有し、中央を開口部とされる方形状又は矩形状の枠体を、部屋に収る所定の大きさで形成し、この枠体の上辺部と下辺部をそれぞれ上フレームと下フレームとして用い、枠体の開口部に遮蔽体を設ける構成とすることもでき、天井より低い高さの間仕切りとしても問題なく使用することができる。
【０１００】
また、前記第１及び第２の実施形態に係る遮蔽体開閉装置においては、遮蔽体傾動機構５０における傾動用歯車５１を遮蔽体３０と共に横方向に移動させ、固定状態の傾動用ラック５２の歯形部分と噛合わせ、さらなる遮蔽体３０の横方向への移動に伴う傾動用歯車５１の移動で、傾動用歯車５１を噛合いに基づく回動状態として、一体の遮蔽体３０を傾動させる構成としているが、これに限らず、傾動用歯車側を横方向へ移動させる代わりに、遮蔽体が分散配置状態に至ったら移動用軸による横方向の移動を停止した上で、傾動用ラックを横方向に動かして各歯形部分を傾動用歯車と噛合させ、さらに傾動用ラックを横方向に動かすことで傾動用歯車を回転させて、遮蔽体を傾動させる構成とすることもでき、遮蔽体の傾動の際に、横方向については遮蔽体の移動を伴わず停止させた状態で傾動させられ、遮蔽体の傾動動作をより安定した状態で実行でき、傾動動作の信頼性を向上させられる。
【０１０１】
また、前記第１及び第２の実施形態に係る遮蔽体開閉装置においては、遮蔽体３０の下部を下フレーム２０上で摺動可能に支持する構成としているが、これに限らず、遮蔽体の下部における下フレーム近傍部分に、ボールやローラ等の転動体を設けて下フレームに当接させ、遮蔽体下部を下フレームに対し転動可能な構成とすることもでき、遮蔽体下部を下フレームに対しスムーズに横方向移動可能とすることで、遮蔽体全体を移動に関わりなく、上下フレームに対し直交して起立した状態で安定的に支持することができる。
【０１０２】
また、前記第１及び第２の実施形態に係る遮蔽体開閉装置において、遮蔽体３０は、枠部３１の開口部を塞ぐように紙シート３２を配設した障子構造として、一部の光を紙シート３２を介し透過させる構成としているが、これに限らず、用途によっては、遮蔽体を完全に光を通さない遮光構造とすることもでき、遮蔽体で上下フレーム間の領域を閉塞した状態では、光の通過を確実に阻止して、光が当らない状況を確保することができる。
【０１０３】
さらに、前記第１及び第２の実施形態に係る遮蔽体開閉装置においては、チェーン４９とスプロケット４２を用い、チェーン４９からスプロケット４２を介して回動力を無理なく移動用軸４１、４６に伝えられる構成としているが、この他、滑り無く力を移動用軸に伝えられるものであれば、移動用軸と一体のプーリに対し人の操作可能な紐やワイヤを巻き掛けて駆動部とする構成とすることもできる。また、こうしたチェーン等を人の手で操作して移動用軸４１、４６を回動させる、手動開閉式の構成に限られるものではなく、駆動部として、移動用軸に回動の駆動力を与える電動機等の駆動源とその制御装置とを用い、自動的に開閉を行う構成とすることもでき、開閉が人の力を伴わずにスムーズに実行されることとなり、使い勝手がより優れたものとなる。この場合、使用者のスイッチ操作に基づいて移動用軸を回動させる他、遮蔽体が横方向の移動可能範囲の終端に達した場合や、移動又は傾動する遮蔽体間に異物が挟まった場合など、移動用軸がそれ以上回動できないことで駆動トルクが上昇するなどの事象を検出して、異常状態に至る前に移動用軸の回動を自動停止させる制御を行う、といった機能を付加することもできる。
【符号の説明】
【０１０４】
１、２            遮蔽体開閉装置
１０              上フレーム
１１              同調用上ラック
１２              蓋部
１５              同調用上歯車
２０              下フレーム
２１              同調用下ラック
２２              溝部
２５              同調用下歯車
３０              遮蔽体
３１              枠部
３２              紙シート
３３              軸部
３４              摺動片
３５              回転規制ばね
３６              内軸
３７              外軸
４０              遮蔽体移動機構
４１、４６        移動用軸
４１ａ、４１ｄ    溝
４１ｂ、４１ｃ    溝
４２              スプロケット
４３、４７        小径部
４４、４８        大径部
４６ａ、４６ｂ    溝
４９              チェーン
５０              遮蔽体傾動機構
５１              傾動用歯車
５２              傾動用ラック
５２ａ            歯形部分
６０              領域
７０              壁面
７１、７２        窓
８０              床面
【図１】
2012241388.tif 000003
【図２】
2012241388.tif 000004
【図３】
2012241388.tif 000005
【図４】
2012241388.tif 000006
【図５】
2012241388.tif 000007
【図６】
2012241388.tif 000008
【図７】
2012241388.tif 000009
【図８】
2012241388.tif 000010
【図９】
2012241388.tif 000011
【図１０】
2012241388.tif 000012
【図１１】
2012241388.tif 000013
【図１２】
2012241388.tif 000014
【図１３】
2012241388.tif 000015
【図１４】
2012241388.tif 000016
【図１５】
2012241388.tif 000017